(57)【要約】【課題】  園芸などの作業において土を掬う際、手から土がこぼれ落ちること。【解決手段】  この作業用手袋１００では、親指１および人差し指２、人差し指２および中指３、中指３および薬指４、薬指４および小指５の間に、水かきのような掬い部１１，１２，１３，１４が設けられている。土Ｆを掬うときは、指部１〜５を広げて掬い部１１〜１４を大きく広げ、片手または両手で土Ｆを掬いあげる。この際、指部１〜５の間から土Ｆがこぼれることがない。指部１〜５の広げ具合を調整すれば、救える土Ｆの量も調整できる。【選択図】図４
2014231664.tif 000002
【特許請求の範囲】
【請求項１】
少なくとも２本以上の指部の間に膜状の掬い部を設けたことを特徴とする作業用手袋。
【請求項２】
少なくとも２本以上の指部の末節部位の先端であって手の甲側に本体より硬い素材または本体より厚い部位により補強爪を形成したことを特徴とする請求項１に記載の作業用手袋。
【請求項３】
いずれかの指部に沿って切断爪を設けたことを特徴とする請求項１または２に記載の作業用手袋。
【請求項４】
本体の側部またはその近傍に当該本体に沿って長尺のヘラを設けたことを特徴とする請求項１〜３のいずれか一つに記載の作業用手袋。
【請求項５】
本体の手の甲側に通気窓を設けたことを特徴とする請求項１〜４のいずれか一つに記載の作業用手袋。
【発明の詳細な説明】
【技術分野】
【０００１】  本発明は、園芸等の作業に適した作業用手袋に関するものである。
【背景技術】
【０００２】  従来から特許文献１に記載されているような園芸に用いる作業用手袋が知られている。この作業用手袋は、手袋の指部分の先端に爪を設けた構成である。爪は、指先の内側（爪とは反対側）に設けられる。各爪の先端は、三角形の突起となる。【０００３】  ユーザは、この作業用手袋を手に装着した状態で草の根本を指先の爪でしっかり摘み、引き抜く。前記爪により草の根元を挟み込むので、草を簡単に抜くことができる。
【先行技術文献】
【特許文献】
【０００４】
【特許文献１】  特開２０００−２３９９１０号公報
【発明の概要】
【発明が解決しようとする課題】
【０００５】  しかしながら、上記従来の作業用手袋では、土を掬う際に指の間から土がこぼれ落ちるため、作業が行い難いという問題点があった。また、爪が指先の内側に設けられているので、実際の指の爪の感覚とは異なるものとなり、作業の際に違和感があるという問題点があった。また、爪を内側に設けているので、作業用手袋を装着した状態で、肥料の袋を開けたり、苗を分けたり、種をまいたりする等の指先の感覚が必要となる作業が行い難いという問題点があった。この発明は、上記課題を解決するためになされたものである。
【課題を解決するための手段】
【０００６】  本発明に係る作業用手袋は、少なくとも２本以上の指部の間に膜状の掬い部を設けたことを特徴とする。【０００７】  これにより、園芸作業等において作業用手袋で土を掬う際、手から土がこぼれ難い。【０００８】  また、本発明に係る作業用手袋は、上記発明において、少なくとも２本以上の指部の末節部位の先端であって手の甲側に本体より硬い素材または本体より厚い部位により補強爪を形成したことを特徴とする。【０００９】  即ち、実際の爪に重なるような位置に爪部を設けることで自然な感覚で作業を行うことができる。【００１０】  また、本発明に係る作業用手袋は、上記発明において、いずれかの指部に沿って切断爪を設けたことを特徴とする。【００１１】  更に、本発明に係る作業用手袋は、上記発明において、前記本体の側部またはその近傍に当該本体に沿って長尺のヘラを設けたことを特徴とする。【００１２】  更に、本発明に係る作業用手袋は、上記発明において、本体の手の甲側に通気窓を設けたことを特徴とする。
【図面の簡単な説明】
【００１３】
【図１】  この発明の実施の形態にかかる作業用手袋の手の甲側を示す平面図である。
【図２】  図１に示した作業用手袋の手の内側を示す平面図である。
【図３】  図１に示した作業用手袋の指先を示す斜視図である。
【図４】  この作業用手袋の使用状態を示す説明図である。
【図５】  この作業用手袋の使用状態を示す説明図である。
【図６】  この作業用手袋の使用状態を示す説明図である。
【発明を実施するための形態】
【００１４】  図１は、この発明の実施の形態にかかる作業用手袋の手の甲側を示す平面図である。図２は、図１に示した作業用手袋の手の内側（掌側）を示す平面図である。なお、同図では、右手側を示すものとし、左手側はこれと線対称となる（図示省略）。図３は、図１に示した作業用手袋の指先を示す斜視図である。この作業用手袋１００は、ゴム、合成樹脂、布、皮、合成皮革等の素材を成形または縫製してなる。この作業用手袋１００では、掌を収納する本体５０から、親指、人差し指、中指、薬指、小指の各指部１〜５が延出し、その先端にそれぞれ補強爪６〜１０が設けられている。当該補強爪６〜１０は、実際の爪と同じ位置に配置される。なお、各指１〜５における部位は、手の骨に対応して説明するものとし、指の根元からを基節部位、その次を中節部位、指先を末節部位と称する。
【００１５】  補強爪６〜１０は、作業用手袋１００の末節部位の先端から５ｍｍ〜１５ｍｍ突出する。補強爪６〜１０は、作業用手袋１００がゴム等の成形品である場合、その末節部位に一体形成される。末節部位と補強爪との境は、亀裂が発生しないように小さい曲率を持つ曲面とする（図示省略）。また、作業用手袋１００が布や皮等の縫製品となる場合、補強爪６〜１０は各末節部位に融着するか或いは強力に接着される。補強爪６〜１０は、指部１〜５の末節部位に対して本体５０より硬い素材により構成される。例えば硬度が本体５０よりも高いゴムからなる。或いは、補強爪６〜１０は、本体５０と同じ素材からなるがその厚さが本体５０の数倍となり高い強度を備えたものとなる。
【００１６】  補強爪６〜１０の形状は、実際の爪と相似形であり且つその先端は円弧形状となる。補強爪６〜１０の厚さは、１ｍｍ〜５ｍｍとする。補強爪６〜１０の先端は、内側に向けて若干の傾斜を設けても良い。これにより、土を掬う場合に土壌に対する引っかかりが良くなる。
【００１７】  次に、親指１および人差し指２、人差し指２および中指３、中指３および薬指４、薬指４および小指５の間には、水かきのような掬い部１１，１２，１３，１４が設けられている。掬い部１１〜１４は、各指１〜５の基節部位まで或いは基節部位および中節部位にかけて設けられる。末節部位まで掬い部１１〜１４を設けても良いが、指先による作業性を向上させたい場合は、末節部位に当該掬い部１１〜１４を設けないようにしても良い。
【００１８】  掬い部１１〜１４は、厚さが１ｍｍ〜３ｍｍであり、作業用手袋１００の本体５０と同じ素材からなる。作業用手袋１００がゴム製の場合、掬い部１１〜１４は一体成形される。作業用手袋１００が布や皮等の縫製品である場合、掬い部１１〜１４は指部１〜５に縫い付けられるか或いは強力に接着される。掬い部１１〜１４は、展開した状態で扇形であり、指部１〜５を完全に開いた状態で弛みなく広がるようにする。なお、掬い部１１〜１４のみ作業用手袋１００の本体５０と異なる素材を用いても良い。例えば、本体５０は革製であるが、掬い部は布製としても良い。
【００１９】  作業用手袋１００の手の甲側には、通気用の窓５１が設けられている。窓５１は、通気性が高い素材５２で覆われている。当該素材５２は、例えばメッシュ状の生地や、薄手の綿布等である。
【００２０】  また、人差し指２の手の甲側から少し外側に傾いた位置には、切断爪５３が設けられている。切断爪５３は、人差し指２の中節部位に設けられる。切断爪５３は、指の方向に沿って刃を有する。刃先は鋭利な直線的なものであってもよいし、細かい鋸状の刃としても良い。親指１を押し当てても切れない先端が楔状となった刃としても良い。なお、切断爪５３は、人差し指２の中節部位に設けるのが便利であるが、他の指の部分であっても良い。例えば、親指１の基節部位の外側に設けても良い。当該切断爪５３は、セラミックス製であっても良いし、ゴム製として先端のみに刃を埋設した構成としても良い。
【００２１】  更に、作業用手袋１００の本体５０の横には、板状のヘラ５４が設けられている。このヘラ５４は、作業用手袋１００の本体５０と一体成形しても良いし、先端にプラスチックや金属等の硬質素材からなるヘラ５４を埋設しても良い。ヘラ５４の長さは、本体５０の横すべてに設けると良い。また、手の自由な動きを確保するため、ヘラ５４は長手方向に複数に分割されて形成しても良い。また、小指５まで延長して設けても良い。ヘラ５４を設けることで、土を載せた平板の上で効率的に土をかき集めることができる。
【００２２】  次に、この作業用手袋１００の使用方法を説明する。図４乃至図６は、この作業用手袋の使用状態を示す説明図である。ユーザは、この作業用手袋１００を左右の手に装着して園芸等の作業を行う。土Ｆを掬うときは、指部１〜５を広げて掬い部１１〜１４を大きく広げ、片手または両手で土Ｆを掬いあげる。この際、指部１〜５の間から土Ｆがこぼれることがない。指部１〜５の広げ具合を調整すれば、救える土Ｆの量も調整できる。また、掬い部１１〜１４は膜状であるため自由に変形できる。このため、指部１〜５の動きの妨げにならない。また、掬い部１１〜１４の寸法を大きくすることで救える土Ｆの量も多くなる。
【００２３】  更に、前記補強爪６〜１０を用いて土を掘ったり、掬ったりを簡単に行える。補強爪６〜１０は実際の爪と同じ位置に設けられているので、本当の手で土いじりを行っているような自然な感覚で園芸作業が行える。
【００２４】  また、ユーザは、図５に示すように、草の根元や枝Ｂを切断爪５３で切断することもできる。切断爪５３が鋭利な刃である場合、人差し指２の中節部位を枝Ｂに押し当ててスライドさせれば良い。切断爪５３を用いることで、枝Ｂを切断できるので園芸作業をより便利に行える。片方の手で草や枝Ｂをつまんで切断したい箇所に切断爪５３を押し当てればより切断しやすい。切断爪５３の刃を親指１を押し当てても切れない先端が楔状となった刃とした場合、この切断爪５３と親指１で草を挟んで引くことで、この挟んだ部分を境にして切断できる。
【００２５】  更に、ユーザは、図６に示すように、手を横に立てて作業板Ｔの上に押し付け、スライドさせることで、前記ヘラ５４で土Ｆを集めることができる。従来の作業用手袋１００では土が手の横から抜けて上手く収集できなかったが、ヘラ５４を設けることで土Ｆを逃がすことなくしっかりと集めることができる。
【００２６】  以上、この発明に係る作業用手袋１００によれば、土を掘りやすいを上、土をしっかりと掬うことができる。また、草の切断や土集めが容易であるから、園芸作業を効率的に行えるようになる。
【符号の説明】
【００２７】１００  作業用手袋
１〜５  指部
６〜１０  補強爪
１１〜１４  掬い部
５３  切断爪
５４  ヘラ
【図１】
2014231664.tif 000003
【図２】
2014231664.tif 000004
【図３】
2014231664.tif 000005
【図４】
2014231664.tif 000006
【図５】
2014231664.tif 000007
【図６】
2014231664.tif 000008